(57)【要約】【課題】主に、詰め替え用のシャンプーや洗剤、牛乳パック、レトルトや食品用の容器等に用いられるパウチの、「開封位置」と「開封方向」を一目で認識可能とし、幅広い年代の消費者が、スムースにパウチを使用することを可能とするユニバーサルデザインに基づいたパウチを提供することである。【解決手段】上記課題を解決するために、本発明の請求項１記載の発明は、フィルム外周をヒートシールしてなるパウチにおいて、前記パウチの開封起点となるノッチの切欠き形状が、開封方向を指す矢印形状からなる矢印ノッチとすることにより、前記パウチの開封方向が一目で認識可能なことを特徴とする、ユニバーサルデザインパウチである。【選択図】図１
2008105697.tif 000002
【特許請求の範囲】
【請求項１】
フィルム外周をヒートシールしてなるパウチにおいて、前記パウチの開封起点となるノッチの切欠き形状が、開封方向を指す矢印形状からなる矢印ノッチとすることにより、前記パウチの開封方向が一目で認識可能なことを特徴とする、ユニバーサルデザインパウチ。
【請求項２】
前記矢印ノッチを、前記パウチの左右に形成することにより、左右どちらからでもパウチの開封を可能としたことを特徴とする、請求項１記載のユニバーサルデザインパウチ。
【請求項３】
前記矢印ノッチ上方のシールコーナー形状が、前記パウチの他のシールコーナー形状とは異なるシール形状からなる開封把持部を形成することにより、前記パウチの開封位置の認識性および開封性を向上したことを特徴とする、請求項１乃至２記載のユニバーサルデザインパウチ。
【請求項４】
前記開封把持部の形状が、略半円形状からなる開封把持部とすることにより、前記パウチの開封位置の認識性および開封性を向上したことを特徴とする、請求項１乃至３記載のユニバーサルデザインパウチ。
【請求項５】
前記開封把持部に、スリットもしくは貫通孔からなる指掛部を形成することにより、前記パウチの開封性を向上したことを特徴とする、請求項１乃至４記載のユニバーサルデザインパウチ。
【発明の詳細な説明】
【技術分野】
【０００１】
本発明は、環境および使う人（消費者）への配慮を重視したユニバーサルデザインに対応したパウチ（ユニバーサルデザインパウチ）に関する。
【背景技術】
【０００２】
従来、主にレトルト食品や、詰め替え用の洗剤、或いは無菌包装食品、鮮度保持包装食品、医薬品等の内容物を密封包装した、図１１に示すような、包装体（パウチ）が知られている（例えば、特許文献１）。
このパウチは、通常、上シール２、左右シール３、下シール４の計４辺に直線状のヒートシール（シール）を施して、略四角形状の外形を有するパウチを形成し、前記左右シール２にパウチの開封起点となる切欠き７（ノッチ７）が形成されている。
【０００３】
しかしながら前記パウチにおいては、パウチ形状が略四角形状の外形を有するとともに、パウチ４隅のコーナー形状Ｃがそれぞれ等しいため、パウチの外形から開封箇所を認識することが困難である。また、前記ノッチ７は、左右シールの一部を切り欠いた、スリット形状のＩノッチやＶ字形状の切欠きからなるＶノッチであり、パウチの開封方向を認識することが困難である。また、たとえ開封箇所がわかっても、フィルムをつまむ手が滑りやすくパウチを開封しづらい等の問題がある。このため、高齢者や障害を持つ人にとっては、パウチの開封操作自体が困難である。
【０００４】
他方、近年できるだけ多くの人が利用可能であるようデザインすることを念頭に開発されたユニバーサルデザイン商品があり、ユニバーサルデザイン商品の一例としては、安全に配慮された自動ドア、エレベータや、外国人などのために、文字の代わりに絵文字を使っての各種表示を行うものや、シャンプーのボトルに凹凸加工による印をつけ、リンスその他のボトルと区別するものがある。
【０００５】
このようにユニバーサルデザインの目的としては、だれでも公平に使えること、使う上で自由度が高いこと、使い方が簡単で、すぐに分かること、必要な情報がすぐに分かること、うっかりミスが危険につながらないこと、身体への負担が少ないこと、接近や利用するための十分な大きさと空間を確保すること、を目的としており、今後、このようなユニバーサルデザインに沿った様々な商品の開発が望まれている。
【０００６】
【特許文献１】特開平０８−０８０９７７号公報
【発明の開示】
【発明が解決しようとする課題】
【０００７】
本発明者らは、このようなユニバーサルデザインの考え方に基づき、上記パウチの「開封位置」と「開封方向」とを一目で認識可能とし、幅広い年代の消費者が、スムースにパウチを使用することが可能なユニバーサルデザインに基づいたパウチを提供することを課題とする。
【課題を解決するための手段】
【０００８】
これらの課題を解決するため、本発明の請求項１記載の発明は、フィルム外周をヒートシールしてなるパウチにおいて、前記パウチの開封起点となるノッチの切欠き形状が、開封方向を指す矢印形状からなる矢印ノッチとすることにより、前記パウチの開封方向が一目で認識可能なことを特徴とする、ユニバーサルデザインパウチである。
【０００９】
また、請求項２記載の発明は、前記矢印ノッチを、前記パウチの左右に形成することにより、左右どちらからでもパウチの開封を可能としたことを特徴とする、ユニバーサルデザインパウチである。
【００１０】
また、請求項３記載の発明は、前記矢印ノッチ上方のシールコーナー形状が、前記パウチの他のシールコーナー形状とは異なるシール形状からなる開封把持部を形成することにより、前記パウチの開封位置の認識性および開封性を向上したことを特徴とする、ユニバーサルデザインパウチである。
【００１１】
また、請求項４記載の発明は、前記開封把持部の形状が、略半円形状からなる開封把持部とすることにより、前記パウチの開封位置の認識性および開封性を向上したことを特徴とする、ユニバーサルデザインパウチである。
【００１２】
また、請求項５記載の発明は、前記開封把持部に、スリットもしくは貫通孔からなる指掛部を形成することにより、前記パウチの開封性を向上したことを特徴とする、ユニバーサルデザインパウチである。
【発明の効果】
【００１３】
このように、本発明の請求項１記載の発明は、フィルム外周をヒートシールしてなるパウチにおいて、前記パウチの開封起点となるノッチの切欠き形状が、開封方向を指す矢印形状からなる矢印ノッチとすることにより、前記パウチの開封方向が一目で認識可能である。よって、幅広い年代の消費者が、パウチの「開封位置」と「開封方向」を一目で認識可能とし、スムースにパウチを使用することを可能とするユニバーサルデザインに基づいたパウチを提供することが可能である。
【００１４】
また、請求項２記載の発明は、前記矢印ノッチを、前記パウチの左右に形成することにより、左右どちらからでもパウチの開封が可能である。よって、消費者の利き手を選ぶことなく、左右何れの方向からもパウチを開封することが可能である。
【００１５】
また、請求項３記載の発明は、前記矢印ノッチ上方のシールコーナー形状が、前記パウチの他のシールコーナー形状とは異なるシール形状からなる開封把持部を形成することにより、前記パウチの開封位置の認識性および開封性が向上する。よって、パウチの開封位置を一目で認識可能とし、常にパウチの開封をスムースに行なうことが可能である。
【００１６】
また、請求項４記載の発明は、前記開封把持部の形状が、略半円形状からなる開封把持部とすることにより、前記パウチの開封位置の認識性および開封性が向上する。よって、パウチ開封時に、略半円形状からなる開封把持部を側面や上方から持ち開封操作を行なった場合でも、常にパウチの開封をスムースに行なうことが可能である。
【００１７】
また、請求項５記載の発明は、前記開封把持部に、スリットもしくは貫通孔からなる指掛部を形成することにより、前記パウチの開封性が向上する。よって、パウチ開封時に、指掛部に指を掛けつつ力を加えてスムースにパウチの開封を行なうことが可能である。
【発明を実施するための最良の形態】
【００１８】
本発明のユニバーサルパウチ１０（パウチ１０）の一例としては、図１に示すように、パウチ１０の中央部分に、予め所定の方法により内容物が充填される未シール部分からなる収容部１を有し、該収容部１の周囲（上シール部２、左右のシール部３、下シール部４）計４辺にヒートシールが施され４方シールパウチ１０を形成している。このようなパウチ１０としては、４方シール形式のパウチに限らず、スタンドパウチや、ガゼット袋やピロー袋など、フィルムの外周をシールしてなるパウチ１０であれば、パウチ１０の種類や形状は限定されるものではない。
【００１９】
そして、パウチ１０の左上部分には、パウチ開封時に前記上シール部２を含む切取片Ｚを水平方向へと切除する際の開封起点となるノッチ７が形成され、該ノッチ７の上方部分の切取片Ｚには、略半円形状の開封把持部６が形成されている。
【００２０】
特に、前記ノッチ７の切欠き形状は、図２に示すように、パウチ１０の開封方向へと鋭利凸形状からなる先端凸部９と、矢印形状を示すための上凸部８および下凸部８'とからなる略矢印形状を有する矢印ノッチ７を形成しており、該矢印ノッチ７の先端凸部９は、パウチ１０の開封方向である右方向を指している。よって、パウチ１０の開封方向が右方向であることを一目で認識することが可能であり、また、矢印ノッチ７を起点にパウチ１０を開封することを容易に認識することが可能である。
【００２１】
前記矢印ノッチ７の先端凸部９は、水平方向のみならず、後述する、斜め方向や上方向など、パウチの開封方向によって適宜形成すればよく、また、先端凸部９と上凸部８とからなる矢印の形状であってもよい。
【００２２】
また、本発明のパウチ１０は、前記矢印ノッチ７とともに、該矢印ノッチ７の上方に開封把持部６を形成することにより、パウチ１０の開封位置をさらに容易に認識可能な効果がある。
【００２３】
すなわち、前記開封把持部６は、前記矢印ノッチ７上方のコーナー形状Ｃ'のみを、他の３コーナーＣの形状と異ならせたシール部分であり、特に、パウチの前記上シール部２の上辺より、さらに上方へと突出している。
このため、前記矢印ノッチ７と前記開封把持部６との相乗効果により、パウチ１０の開封位置を容易に認識可能とし、さらには、幅広なシールからなる開封把持部によりパウチ開封時の開封性が向上する効果がある。
【００２４】
また、開封把持部６の形状を半円形状とすることにより、この部分をつまんで開封することを視覚的に認識容易とし、さらには、上シール部の上辺より上方へと突出する形状により、開封把持部を上方からも側方からも把持することが可能である。
すなわち、図８に示すように、上シール部２の直上から開封把持部６をつかんでも、上シール部の上辺部分に指の関節Ｙが当接することなく、開封把持部のみをしっかり把持することが可能である。
【００２５】
また、本発明のユニバーサルデザインパウチ１０は、上記構成に加えて、前記開封把持部６のシール部分に、スリットＳもしくは貫通孔Ｋからなる指掛部５を形成してもよく、パウチ開封時に、指掛部に指先を掛けて切取片を強固に把持することが可能であり、切取片を引いてもフィルムをつまむ指先が滑ることなく、パウチ１０の開封性をさらに向上することが可能である。
【００２６】
この場合、前記開封把持部６のシール部分に、縦方向かつ略曲線形状からなるスリットＳからなる指掛部５を形成することにより、前記開封把持部６を指先でつまんだ際に、図９に示すように、前記スリットＳに沿って開封把持部６が折れ曲るとともに、指先にフィットした湾曲面Ｗを形成する。
よって、該湾曲面Ｗを指先でつまんだ状態で、力を加えて前記切取片Ｚを引くことが可能である。よって、フィルムをつまむ指が滑ることなく、少ない力でもって確実に切取片Ｚを切除してパウチ１０の開封を行なうことが可能である。
【００２７】
このように、本発明のパウチ１０は、パウチ１０の開封起点となるノッチ形状が、開封方向を示す矢印形状の切欠きからなる矢印ノッチ７とすることにより、パウチ１０の開封方向を一目で認識することが可能である。また、矢印ノッチ７を形成するとともに、該矢印ノッチの上方部分に、他のコーナー形状とは異なる形状からなる開封把持部６を形成し、さらには、前記開封把持部６にスリットＳからなる指掛部Ｋを形成することで、パウチ１０の開封方向のみならず、パウチ１０の開封箇所を容易に認識可能とし、さらには、パウチ１０の開封性を向上することが可能である。
【００２８】
以下に、上記パウチ１０のさらに好適な一例について、実施例１〜５を用いて説明する。
（実施例１）
まず、本発明のパウチ１０の一例としては、例えば、図３に示すように、矢印ノッチ７の形状が、パウチ１０の開封方向へと鋭利凸形状からなる先端凸部９と、上凸部８とからなる矢印ノッチ７であってもよく、前記先端凸部９は、パウチ１０の開封方向である右方向を指している。また、前記矢印ノッチの上方部分には、他のコーナー形状Ｃとは異なるコーナー形状Ｃ'からなる開封把持部を有しており、該開封把持部６は、上シール部２の上辺より、さらに上方へと凸形状かつ略半円形状を有している。そして、開封把持部６の略中央部分には、略Ｄ形状の貫通孔Ｋからなる指掛部５が形成されている。
【００２９】
よって、前記矢印ノッチによりパウチの開封方向が右方向であることを一目で認識可能とし、前記開封把持部によりパウチの開封箇所が左上コーナーであることを一目で認識可能である。さらには、パウチ開封時、図１０に示すように、開封把持部に形成された貫通孔Ｋからなる指掛部５に指先を挿入しつつ、開封把持部６を強固につまんで、少ない力でスムースかつ確実にパウチを開封することが可能である。
【００３０】
（実施例２）
また、本発明のパウチは、例えば、矢印ノッチ７の指す矢印方向が、斜め上方を指してもよい。
例えば、図４に示すように、矢印ノッチ７の形状が、先端凸部９と、上凸部８および下凸部８'とからなる矢印ノッチ７を形成し、前記先端凸部は、右上方向を指している。
また、前記矢印ノッチの上方部分には、他のコーナー形状Ｃとは異なるコーナー形状Ｃ'からなる開封把持部６が形成されるとともに、開封把持部６の略中央部分には、湾曲形状のスリットＳからなる指掛部５が形成されている。特に、矢印ノッチ７が指す方向には、収容部１の未シール形状が狭小部分からなる注出部Ｔを有している。
【００３１】
よって、パウチの開封方向が、前記矢印ノッチ７が指し示す、注出部Ｔを横切る方向であることが一目で認識可能である。また、前記開封把持部６によりパウチの開封箇所が左上コーナーであることを一目で認識可能であり、さらには、パウチ開封時、開封把持部６に形成されたスリットＳからなる指掛部５に指先を挿入しつつ、開封把持部６を強固につまんで、少ない力でスムースかつ確実にパウチを開封することが可能である。
【００３２】
（実施例３）
さらに、本発明のパウチ１０は、図５に示すように、所望の注出量を注出可能な未シールからなる注出部Ｔを形成するとともに、該注出部Ｔの一部を横切り開封すべく、注出部の下方に上方向を指す矢印ノッチ７を形成することにより、パウチ１０の開封方向が上方向であることが容易に認識可能であるとともに、他のコーナー形状とは異なる開封把持部６により、開封位置を一目で認識することが可能である。さらには、指掛部５のスリットＳが斜めに傾いて形成されており、開封方向に対して略垂直方向に前記スリットを形成することにより、指掛部に指をかけて上方へと容易に切取片を切除することが可能である。
【００３３】
（実施例４）
次に、本発明のパウチは、図６に示すように、矢印ノッチを左右にそれぞれ形成してもよく、さらには、開封把持部をノッチ上方のコーナー部分Ｃ'にそれぞれ形成してもよい。
【００３４】
これにより、パウチ１０の開封箇所が、パウチ１０の左右上方であることが容易に認識可能であり、かつパウチ１０の開封方向が水平方向であることが容易に認識可能である。さらには、左右どちらの方向からでもパウチ１０を開封可能であることが一目で認識可能である。よって、消費者の利き手を選ぶことなく、幅広い消費者がスムースに開封可能なパウチを提供することが可能である。また、矢印ノッチ７の先端凸部９に、さらにノッチＮを形成してもよく、また、前記ノッチＮ間に開封方向に沿って切取り線Ｈを形成してもよい。
【００３５】
（実施例５）
また、本発明のパウチ１０は上記構成に加えて、例えば、図７に示すように、パウチの表面に開封方向や開封箇所を示す開封補助印刷Ｐを施してもよく、該開封補助印刷Ｐと前記矢印ノッチ７および開封把持部６との相乗効果により、さらに直感的かつ容易にパウチ１０の開封操作を認識することが可能である。
【００３６】
以上のように、本発明のパウチ１０は、パウチ初期開封時に開封起点となるノッチの切欠き形状が、略矢印形状からなる矢印ノッチ７とする簡単な構成により、パウチ１０の「開封位置」と「開封方向」とが一目で認識可能な効果がある。さらには、上記構成に加えて、前記矢印ノッチ上方のシールコーナー形状Ｃ'が、上シール部の上辺より上方へと突出した略半円形状からなる開封把持部６を形成するとともに、該開封把持部６のシール部分に、スリットＳ若しくは貫通孔Ｋからなる指掛部５を形成することにより、パウチ１０の「開封性」をも向上することが可能である。よって、幅広い層の消費者が、スムースにパウチ１０を開封可能とするユニバーサルデザインパウチ１０を提供することが可能である。
【００３７】
本発明のユニバーサルデザインパウチ１０の好適な用途の一例としては、例えば、詰め替え用のシャンプーや洗剤、牛乳パック、レトルトや食品用の容器、歯磨き粉チューブ、さらには、紙にアルミを蒸着したシップの包装材など、パウチ１０の「開封位置」および「開封方向」を向上可能な容器形態であれば、パウチ１０の形態や形状は特に限定されるものではない。
【００３８】
また、本発明のパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。
【００３９】
前記積層フィルムの構成としては、充填される流動食の種類や充填後の加圧加熱殺菌時に加えられる加熱条件などによって適宜選定することができ、好適に用いられる前記積層フィルムの一例としては、下記に示す構成の積層フィルムが挙げられる。
（１） ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
【００４０】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００４１】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチにガスバリヤー性を付与することが可能である。一軸延伸ＰＰフィルムは、本発明のパウチ１０では、その延伸方向がパウチを開封する方向と一致するように積層することにより、切取片Ｚのフィルムを切除する際、開封方向に沿って容易にフィルムを切り取ることが可能である。
【００４２】
また、最内層の前記ＣＰＰフィルムは、ヒートシール用のシーラント層として作用すると共に、耐熱性、低臭性に優れるので、パウチごと加圧加熱殺菌される流動食用のパウチには好ましく用いられる。尚、上述した各フィルム材と同様な作用効果を有するものであれば、前記の積層構成に限定されるものではなく適宜変更してもよい。
【図面の簡単な説明】
【００４３】
【図１】本発明のユニバーサルデザインパウチの一例を示す図である。
【図２】本発明のユニバーサルデザインパウチの一例を示す正面図である。
【図３】本発明のユニバーサルデザインパウチの別の例を示すパウチの正面図である。
【図４】本発明のユニバーサルデザインパウチのさらに別の例を示すパウチの正面図である。
【図５】本発明のユニバーサルデザインパウチのさらに別の例を示すパウチの正面図である。
【図６】本発明のユニバーサルデザインパウチのさらに別の例を示すパウチの正面図である。
【図７】本発明のユニバーサルデザインパウチのさらに別の例を示すパウチの正面図である。
【図８】本発明のユニバーサルデザインパウチの開封時を示す説明図である。
【図９】本発明のユニバーサルデザインパウチの開封時を示す説明図である。
【図１０】本発明のユニバーサルデザインパウチの開封時を示す説明図である。
【図１１】従来のパウチを示す図である。
【符号の説明】
【００４４】
１  収容部
２  上シール部
３  左右シール部
４  下シール部
５  指掛部
６  開封把持部
７  矢印ノッチ（ノッチ）
８  上凸部
８'  下凸部
９  先端凸部
１０  ユニバーサルデザインパウチ（パウチ）
Ｓ  スリット
Ｋ  貫通孔
Ｚ  切取片
Ｈ  切取り線
Ｎ  ノッチ
Ｐ  開封補助印刷
【図１】
2008105697.tif 000003
【図２】
2008105697.tif 000004
【図３】
2008105697.tif 000005
【図４】
2008105697.tif 000006
【図５】
2008105697.tif 000007
【図６】
2008105697.tif 000008
【図７】
2008105697.tif 000009
【図８】
2008105697.tif 000010
【図９】
2008105697.tif 000011
【図１０】
2008105697.tif 000012
【図１１】
2008105697.tif 000013